(57)【要約】本発明は、内部に各種表現体を挿入して、平常時には内部が見えない鏡の形態を帯びるが、内部に照明が灯る場合、内部に挿入された表現体を外部に表現できるようにする表現媒体に関するものであって、その目的は反射板を使用して鏡の機能と額縁の機能を与えて機能を極大化させることができるようにし、また表現体を表すことができる表現媒体をユーザの音声信号として自動で制御することによって、より多様な制御ができるようにして、鏡としての機能と装飾及び情報伝達媒体の機能の転換を容易にし、データベースの情報をユーザの音声信号によって表現できるようにして、より効率的で、かつ複合的な機能ができるようにする音声認識可能な鏡兼用表現媒体を提供することをその目的とする。 上記の目的を達成するための本発明は、表現しようとする映像を表す表現部２４と、上記表現部の内部に挿入設置されて映像を表現する表現体２３と、表現部の一側に設けられる発光部２５と、表現部の一側に設けられる透明部２１と、上記透明部２１と表現部２４との間に蒸着され、かつ光の透過率が４０−６０％である反射部２２から構成される表現媒体２０と、上記表現媒体を支持する胴体部１０と、上記胴体部１０に設けられ、ユーザの音声信号の音声周波数を感知してシステムを駆動する音声認識駆動部４０と、上記胴体部１０に設けられ、音声信号を送り出すスピーカー７０と、上記胴体部１０に設けられ、表現媒体２０、スピーカー７０及び音声認識センサ４０を制御する制御部５０と、上記表現媒体、スピーカー７０、及び制御部５０へ電源を供給する電源部６０から構成され、平素には対面する物体を視覚的に反射する鏡として作用し、ユーザの音声信号がある時、これを認識して音声メッセージ及び映像を出力することを特徴とする音声認識可能な鏡兼用表現媒体に関するものである。
2008546467.tif 000002
【特許請求の範囲】
【請求項１】
表現しようとする映像を表す表現部２４と、前記表現部内部に挿入設置されて映像を表現する表現体２３と、表現部の一側に設けられる発光部２５と、表現部の一側に設けられる透明部２１と、前記透明部２１と表現部２４との間に蒸着され、かつ光の透過率が４０−６０％である反射部２２から構成される表現媒体２０と、
前記表現媒体を支持する胴体部１０と、
前記胴体部１０に設けられ、ユーザの音声信号を感知し、ユーザの表現媒体操作音声の入力を受けて音声信号を生成するマイク４１と、前記マイク４１から入力される音声信号を所定の大きさに増幅させる増幅部４２と、前記増幅部４２から入力される所定の大きさに増幅された音声信号のアナログ信号をディジタル信号に変換させるＡ／Ｄ変換部４３と、前記Ａ／Ｄ変換部４３から入力されるディジタル信号に変換された音声信号を音節の如き短い単位の信号に分割し、その分割された各フレームのうち、実際の音声が発声されたフレームだけを検出する音声区間抽出部４４と、前記抽出部から入力される検出された音声信号のフレームの特徴を抽出してテストパターン信号に加工する特徴抽出部４５と、前記特徴抽出部４５から入力されるテストパターン信号を基準パターン信号格納部とマッチングしてテストパターン信号と最も類似の特徴を有する該当基準パターン信号を抽出するパターンマッチング部４６と、前記パターンマッチング部４６から入力される該当基準パターン信号に対応する表現媒体操作機能制御信号を生成する音声認識駆動部４０と、
前記胴体部１０に設けられ、音声認識駆動部４０から得たユーザの音声信号を総合して、これを予め入力させて置いた値と比較し、前記比較値により表現媒体を制御して発光部２５から光を発光するようにする照明制御手段５１を具備して音声認識駆動部４０を制御する制御部５０と、
前記表現媒体２０及び制御部５０へ電源を供給する電源部６０とから構成され、平素には対面する物体を視覚的に反射する鏡として作用し、ユーザの音声信号がある時、これを認識して照明部を制御して表現部の内部が明るくなるようにすることで、表現部に設けられた表現体を表すことができるようにすることを特徴とする音声認識可能な鏡兼用表現媒体。
【請求項２】
前記表現体２３は、停止画、動画、またはスライド映像を表現する映像媒体を使用することを特徴とする請求項１記載の音声認識可能な鏡兼用表現媒体。
【請求項３】
スピーカー７０を設けて音響効果を加えられるようにし、制御部５０に表現体の映像及び音響を制御する表現制御手段５２を含めることを特徴とする請求項２記載の音声認識可能な鏡兼用表現媒体。
【請求項４】
前記表現体２３は、立体的な物件を使用し、このような立体物をよりよく表すために、表現部２４の内部の発光部２５の反対側の上段に、少なくとも一つ以上の補助発光部２７をさらに設けることを特徴とする請求項１記載の音声認識可能な鏡兼用表現媒体。
【請求項５】
前記表現体２３は、時間に従って変わる変化体（例：時計、植物、生物体等）を使用することを特徴とする請求項１記載の音声認識可能な鏡兼用表現媒体。
【請求項６】
制御部５０と連結されるようにデータベース部８０を設けてユーザの音声信号に従って前記データベース部８０の情報を映像媒体及びスピーカー７０を使用して提供するようにすることを特徴とする請求項１ないし３のうち、いずれか１項記載の音声認識可能な鏡兼用表現媒体。
【請求項７】
前記制御部５０とデータベース部８０の連結は、有線及び無線通信手段を使用して通信することを特徴とする請求項６記載の音声認識可能な鏡兼用表現媒体。
【請求項８】
無線通信信号を感知する無線通信信号駆動部を設けて、ユーザの無線通信制御信号を感知して、これで表現体及び照明を制御することを特徴とする請求項１ないし３のうち、いずれか１項記載の音声認識可能な鏡兼用表現媒体。
【発明の詳細な説明】
【技術分野】
【０００１】
本発明は、内部に各種表現体を挿入して平常時には内部が見えない鏡の形態を帯びるが、内部に照明が灯る場合、内部に挿入された表現体を外部に表現できるようにする表現媒体に関するものであって、より詳しくは、表現しようとする映像を表す表現体が挿入される表現部と、上記表現部の一側に設けられる発光部と、上記表現部の一側に設けられる透明部と、上記透明部と表現部との間に蒸着され、かつ光の透過率が４０−６０％である反射部から構成される表現媒体と、ユーザの音声信号の音声周波数を感知してシステムを駆動する音声認識駆動部と、上記音声認識駆動部により認識された音声信号により表現媒体を動作させる制御部と、上記表現媒体及び制御部に電源を供給する電源部から構成されて、ユーザの音声信号を感知して制御部が発光部を作動させることによって、表現体が表れることができるようにする音声認識可能な鏡兼用表現媒体に関するものである。 
【背景技術】
【０００２】
一般に、夜間に写真など、内部表現体がよく見えることができるように写真フィルムまたは表現体の下段にバックライトを装着させて、夜間に表現体または写真などを見ることができるようにしている。 
【０００３】
しかしながら、上記のような表現媒体は、ユーザがスイッチを使用して照明を直接制御したり、光、または体温等の信号を感知して、単純に照明及び内部表現体のオン／オフのみを制御したので、より多様な制御方法がないという不便があった。 
【発明の開示】
【発明が解決しようとする課題】
【０００４】
本発明は、上記のような従来の問題点を解決するために案出したものであって、反射板を使用して鏡の機能と額縁の機能を与えて機能を極大化させることができるようにし、また表現体を表すことができる表現媒体をユーザの音声信号として自動で制御することによって、より多様に制御できるようにして、鏡としての機能と装飾及び情報伝達媒体の機能の転換を容易にし、データベースの情報をユーザの音声信号に従い表現できるようにして、より効率的で、かつ複合的な機能ができるようにする音声認識可能な鏡兼用表現媒体を提供することをその目的とする。 
【課題を解決するための手段】
【０００５】
上記の目的を達成するための本発明は、表現しようとする映像を表す表現部２４と、上記表現部の内部に挿入設置されて映像を表現する表現体２３と、表現部の一側に設けられる発光部２５と、表現部の一側に設けられる透明部２１と、上記透明部２１と表現部２４との間に蒸着され、かつ光の透過率が４０−６０％である反射部２２から構成される表現媒体２０と、上記表現媒体を支持する胴体部１０と、上記胴体部１０に設けられ、ユーザの音声信号の音声周波数を感知してシステムを駆動する音声認識駆動部４０と、上記胴体部１０に設けられ、表現媒体２０、音声認識駆動部４０を制御する制御部５０と、上記表現媒体、スピーカー７０及び制御部５０へ電源を供給する電源部６０から構成され、外部の明るさが明るい平素には対面する物体を視覚的に反射する鏡として作用し、ユーザの音声信号がある時、これを認識して表現部の内部の明るさが明るくなるようにすることで、表現部に設けられた表現体を現すことができるようにすることを特徴とする音声認識可能な鏡兼用表現媒体に関するものである。 
【発明の効果】
【０００６】
上記のような構成及び作用により期待することができる本発明の効果は次の通りである。
一つの表現媒体で、鏡、種々の装飾媒体、音声及び音楽出力、額縁、動画プレイなど、種々の機能ができるようにすることで、必要によって表現媒体を違うように使用することができ、ユーザが予め入力した音声信号に従い作動されるようにすることで、ユーザが表現媒体の動作を容易に変化させるようにして、種々の表現媒体の機能を容易に選択して利用できるようにする効果がある。 
【発明を実施するための最良の形態】
【０００７】
以下、本発明に対し、添付図面を参考しつつ詳細に説明すれば、次の通りである。 
【０００８】
図１は、本発明の表現体が表れる表現媒体の構成図であって、表現しようとする表現体が挿入される表現部２４と、表現部２４の下面に設けられる発光部２５と、表現部２４の上部に設けられる透明部２１と、透明部２１と表現部２４との間に蒸着され、かつ光の透過率が４０−６０％である反射部２２から構成される表現媒体２０と、上記表現媒体を支持する胴体部１０と、胴体部１０に設けられユーザの音声信号を感知してシステムを駆動する音声認識駆動部４０と、胴体部１０に設けられ、表現媒体２０、音声認識駆動部４０を制御する制御部５０と、表現媒体２０、制御部５０に電源を供給する電源部６０から構成されて、外部の明るさが明るい平素には対面する物体を視覚的に反射する鏡として作用し、ユーザの音声信号がある時、これを認識して表現部の内部が明るくなるようにすることで、表現部に設けられた表現体を表すことができるようにすることを特徴とする音声認識可能な鏡兼用表現媒体を表す。 
【０００９】
音声認識駆動部４０は、ユーザの音声信号を感知し、ユーザの表現媒体操作音声の入力を受けて音声信号を生成するマイク４１と、マイク４１から入力される音声信号を所定の大きさに増幅させる増幅部４２と、増幅部４２から入力される所定の大きさに増幅された音声信号であるアナログ信号をディジタル信号に変換させるＡ／Ｄ変換部４３と、Ａ／Ｄ変換部４３から入力されるディジタル信号に変換された音声信号を音節の如き短い単位の信号に分割し、その分割された各フレームのうち、実際の音声が発声されたフレームのみを検出する音声区間抽出部４４と、上記抽出部から入力される検出された音声信号のフレームの特徴を抽出してテストパターン信号に加工する特徴抽出部４５と、特徴抽出部４５から入力されるテストパターン信号を基準パターン信号格納部とマッチングしてテストパターン信号と最も類似な特徴を有する該当基準パターン信号を抽出するパターンマッチング部４６と、パターンマッチング部４６から入力される該当基準パターン信号に対応する表現媒体操作機能制御信号を生成し、上記信号を表現媒体の照明制御手段５１及び表現制御手段５２を具備する制御部５０へ送って制御することになる。 
【００１０】
また、音声認識駆動部４０とは別途に、無線通信信号を感知する無線通信信号駆動部を設けてユーザの無線通信制御信号を感知して、これを制御部５０へ転送することによって、表現体及び照明を制御できるようにする。 
【００１１】
制御部５０は、音声認識駆動部４０から得たユーザの音声信号を総合して、これを予め入力させて置いた値と比較することになり、上記比較値により表現媒体を制御して発光部２５で光を発光するようにする照明制御手段５１を具備して、発光部２５から光を発光するようにして、表現部２４の内部にある表現体が反射部２２を通過して外部のユーザが見られるようにし、また胴体部にスピーカー７０を設けて、制御部５０に表現体の内部に設けられる映像媒体及びスピーカーを制御する表現制御手段５２を具備することによって、メロディ及び音声メッセージの要請及び格納があれば、これをスピーカー７０を介して出力させる役割をする。 
【００１２】
表現部２４に挿入設置される表現体は、映像媒体を使用して、停止画、動画、及びスライド映像を表すことができるＬＣＤ、ＰＤＰ、ＬＥＤ、真空管ブラウン管などを使用することができ、また完成された映像媒体であるノートブック、携帯電話、動画プレーヤーのような機器も使用可能であり、上記映像媒体を使用する場合、制御部と連動されるデータベース部８０を別に設けて、制御部に上記映像媒体及びスピーカー７０を制御する表現制御手段５２を具備するようにして、ユーザが希望する情報及び映像を映像媒体及びスピーカーを介して表現することができる。 
【００１３】
また、データベース部８０は、有／無線ＬＡＮ、ＲＦ通信、及びＲＳ−２３２などのような有／無線通信手段を使用して制御部５０と連結できるようにして、データベース部８０を外部に設置したり従来のノートブック、コンピュータ、及びインターネットなどを使用して、より膨大な資料を利用できるようにする。 
【００１４】
一方、データベース部８０は、如何なる一つの情報に限定されなくて、停止画、動画、テキスト等の多様な情報を格納しており、ユーザの音声信号を認識した制御部５０により選択された情報が映像媒体を通じて表れることができるようにする。 
【００１５】
また、上記表現体は立体的な物件も挿入して見えることができるが、このような立体物をよりよく表すために、表現部２４の内部の発光部２５の反対側の上段に、少なくとも一つ以上の発光部をさらに設けて立体表現体をよりよく表すことができるようにすることができる。 
【００１６】
また、上記表現体は、時間に従って変わる変化体（例：時計、植物、生物体等）を挿入して使用することができる。 
【００１７】
電源部６０は、制御部５０、表現媒体２０、及びスピーカー７０のような電源供給を必要とする表現体に電源を供給する役割をする。 
【００１８】
本発明は、前述した特定の好ましい実施形態に限定されることなく、請求範囲で請求する本発明の要旨から外れなくて、当該発明が属する技術分野で通常の知識を有する者であれば誰でも多様な変形実施が可能であることは勿論であり、そのような変更は請求範囲記載の範囲内にあることになる。
【図面の簡単な説明】
【００１９】
【図１】本発明の音声認識可能な鏡兼用表現媒体を示す側断面図である。
【図２】本発明の音声認識可能な鏡兼用表現媒体の反透過部を示す断面図である。
【図３】本発明の音声認識可能な鏡兼用表現媒体の音声認識駆動部及び制御部の制御構成図である。
【図４】本発明の音声認識可能な鏡兼用表現媒体の実施形態で立体表現体が設けられている形態を示す断面図である。
【符号の説明】
【００２０】
１０    胴体部
２０    表現媒体
２１    透明部
２２    反射部
２３    表現体
２４    表現部
２５    発光部
２６    立体表現体
２７    補助発光部
３０    後面板
４０    音声認識駆動部
４１    マイク
４２    増幅部
４３    Ａ／Ｄ変換部
４４    音声区間検出部
４５    特徴抽出部
４６    マッチング部
４７    基準パターン信号格納部
５０    制御部
５１    照明制御手段
５２    表現制御手段
６０    電源部
７０    スピーカー
８０    データベース部
【図１】
2008546467.tif 000003
【図２】
2008546467.tif 000004
【図３】
2008546467.tif 000005
【図４】
2008546467.tif 000006
【国際調査報告】
2008546467.tif 000007
2008546467.tif 000008